(57)【要約】【課題】使用形態を陳列棚、パーティション等に各種に変更することができる什器を提供する。【解決手段】第１、第２、第３セグメント１Ａ，１Ｂ，１Ｃの各本体２を、上下に長い略長方形の枠体２１と、この枠体２１に設けられた網状体２２によって構成する。第１、第２セグメント１Ａ，１Ｂの枠体２１，２１の隣接する側部どうしを回動軸線を上下方向に向けたヒンジ３によって水平方向へ回動可能に連結する。第２、第３セグメント１Ｂ，１Ｃの枠体２１，２１の隣接する側部どうしを回動軸線を上下方向に向けたヒンジ３によって水平方向へ回動可能に連結する。【選択図】図１
0003121180.tif 000002
【実用新案登録請求の範囲】
【請求項１】
厚さに比して幅及び高さが大きい複数のセグメントを備え、各セグメントがその厚さ方向を水平方向に向けて立設され、二つのセグメントの幅方向に隣接する側部どうしが上下に延びる軸線を中心として回動可能に連結されていることを特徴とする什器。
【請求項２】
上記セグメントの少なくとも一部が網状に形成されていることを特徴とする請求項１に記載の什器。
【請求項３】
上記セグメントが中空部を水平方向に向けた枠部と、この枠部の内側に設けられた網状体とを有していることを特徴とする請求項１に記載の什器。
【請求項４】
上記セグメントとして、第１、第２及び第３の三つのセグメントが用いられており、
第１セグメントの側部と第２セグメントの側部とが回動可能に連結され、
第２セグメントの側部と第３セグメントの側部とが回動可能に連結されていることを特徴とする請求項１〜３のいずれかに記載の什器。
【請求項５】
幅方向に並べられた第１、第２及び第３セグメントを起立状態に維持する二つの脚部をさらに備え、
上記第１及び第３セグメントのうち、上記第２セグメント側と逆側の側部の下端部には、上記脚部がそれぞれ着脱可能に取り付けられる取付部材が設けられていることを特徴とする請求項４に記載の什器。
【請求項６】
上記第１及び第３セグメントのうち、上記第２セグメント側と逆側の側部間には、当該側部どうしを係脱可能に係合する係合機構が設けられていることを特徴とする請求項４又は５に記載の什器。
【請求項７】
上記係合機構が、上記第１及び第３セグメントの上記第２セグメント側と逆側の側部にそれぞれ設けられた係合部材と、各係合部材に一端部と他端部とがそれぞれ係脱可能に係合する連結部材とを有していることを特徴とする請求項６に記載の什器。
【請求項８】
上記第１、第２及び第３セグメント全体が平面視略「コ」字状をなすように、上記第１、第３セグメントを互いに対向した状態に維持する維持手段をさらに備えていることを特徴とする請求項４〜７のいずれかに記載の什器。
【請求項９】
上記維持手段が、上記第１セグメントと上記第３セグメントとの間に配置され、一端部と他端部とが上記第１、第３セグメントにそれぞれ着脱可能に取り付けられたフック取り付け用ハンガーであることを特徴とする請求項８に記載の什器。
【請求項１０】
物品が載置される棚板をさらに有し、
上記維持手段が、上記第１セグメントと上記第３セグメントとの間に配置され、一端部と他端部とが上記第１、第３セグメントに着脱可能に取り付けられた一対の棚受け具を有し、
上記一対の棚受け具が、同一高さに、かつ上記第１及び第３セグメントの幅方向へ互いに離間して配置され、上記一対の棚受け具の上に上記棚板が載置されていることを特徴とする請求項８に記載の什器。
【考案の詳細な説明】
【技術分野】
【０００１】
この考案は、使用形態を各種に変更することができる什器、例えば陳列棚、パーティション等に使用形態を各種に変更することができる什器に関する。
【背景技術】
【０００２】
従来、什器の一つとして特開２００４-８２９２号公報に記載の陳列棚がある。この陳列棚は、載置台と、この載置台に載置される棚部とを有している。棚部は、表面と裏面とを有しており、いずれか一方を上にし、他方を下にした状態で載置部に載置される。そして、上側に配置された表面又は裏面に商品が載置される。表面と裏面とは、形状が互いに異なっている。したがって、棚部の上下を逆にすることにより、陳列棚の形態を変更することができる。
【考案の開示】
【考案が解決しようとする課題】
【０００３】
しかしながら、上記従来の陳列棚の形態の変更は、あくまでも陳列棚としての形態の変更であり、他の什器に変更することができなかった。例えば、陳列棚をパーティションに変更するような使用形態の変更を行うことができなかった。
【課題を解決するための手段】
【０００４】
この考案は、上記の問題を解決するために、厚さに比して幅及び高さが大きい複数のセグメントを備え、各セグメントがその厚さ方向を水平方向に向けて立設され、二つのセグメントの幅方向に隣接する側部どうしが上下に延びる軸線を中心として回動可能に連結されていることを特徴としている。
【０００５】
この場合、上記セグメントの少なくとも一部が網状に形成されていることが望ましい。
このように構成すれば、セグメントを水平方向に見たとき、セグメントの一部が透けて見える。
【０００６】
特に、上記セグメントが中空部を水平方向に向けた枠部と、この枠部の内側に設けられた網状体とを有していること望ましい。
このように構成すれば、セグメントの大部分が透けて見える。
【０００７】
上記セグメントとして、第１、第２及び第３の三つのセグメントが用いられており、第１セグメントの側部と第２セグメントの側部とが回動可能に連結され、第２セグメントの側部と第３セグメントの側部とが回動可能に連結されていることが望ましい。
このように構成すれば、三つのセグメントを適宜の位置に回動させることにより、什器の平面視形状を各種に変更することができる。
【０００８】
幅方向に並べられた第１、第２及び第３セグメントを起立状態に維持する二つの脚部をさらに備え、上記第１及び第３セグメントのうち、上記第２セグメント側と逆側の側部の下端部には、上記脚部がそれぞれ着脱可能に取り付けられる取付部材が設けられていることが望ましい。
このように構成すれば、第１、第２及び第３セグメントを水平方向に一列に並んだ状態で立てることができ、什器を陳列ボード又はパーティションとして使用することができる。
【０００９】
上記第１及び第３セグメントのうち、上記第２セグメント側と逆側の側部間には、当該側部どうしを係脱可能に係合する係合機構が設けられていることが望ましい。
このように構成すれば、第１セグメントと第３セグメントとを連結することにより、什器を平面視三角形の筒状に構成することができる。
【００１０】
上記係合機構が、上記係合機構が、上記第１及び第３セグメントの上記第２セグメント側と逆側の側部にそれぞれ設けられた係合部材と、各係合部材に一端部と他端部とがそれぞれ係脱可能に係合する連結部材とを有していることが望ましい。
このように構成すれば、第１セグメントと第３セグメントとを連結しない場合には、連結部材を什器から外すことができ、什器の見栄えをよくすることができる。
【００１１】
上記第１、第２及び第３セグメント全体が平面視略「コ」字状をなすように、上記第１、第３セグメントを互いに対向した状態に維持する維持手段をさらに備えていることが望ましい。
このように構成すれば、什器を水平方向を向く四つの側面部のうちの一つの側面部が開放された断面四角形の筒状に形成することができる。
【００１２】
上記維持手段が、上記第１セグメントと上記第３セグメントとの間に配置され、一端部と他端部とが上記第１、第３セグメントにそれぞれ着脱可能に取り付けられたフック取り付け用ハンガーであることが望ましい。
このように構成すれば、ハンガーを維持手段として兼用することができ、その分だけ部品点数を減らすことができるとともに、ハンガーにフックを引っ掛けることができる。
【００１３】
物品が載置される棚板をさらに有し、上記維持手段が、上記第１セグメントと上記第３セグメントとの間に配置され、一端部と他端部とが上記第１、第３セグメントに着脱可能に取り付けられた一対の棚受け具を有し、上記一対の棚受け具が、同一高さに、かつ上記第１及び第３セグメントの幅方向へ互いに離間して配置され、上記一対の棚受け具の上に上記棚板が載置されていることが望ましい。
このように構成すれば、什器を陳列棚として使用することができ、また受け具に棚板を載置しない場合には、受け具を、フックを引っ掛けるためのハンガーとして使用することができる。
【考案の効果】
【００１４】
上記特徴構成を有するこの考案によれば、什器の使用形態に応じてセグメントどうしを適宜の位置に回動させることによって、什器の使用形態を様々に変更することができる。
【考案を実施するための最良の形態】
【００１５】
以下、この考案を実施するための最良の形態を、図面を参照して説明する。
図１及び図２は、この考案の第１実施の形態を示す。この実施の形態の什器Ａは、第１、第２及び第３セグメント１Ａ，１Ｂ，１Ｃを有している。什器Ａは、二つのセグメント又は四つ以上のセグメントを有していてもよい。
【００１６】
第１セグメント１Ａは、本体２を有している。本体２は、枠体２１と、網状体２２とによって構成されている。枠体２１は、長方形状をなしており、その長手方向を上下方向に向けた状態で起立させられている。しかも、枠体２１は、その幅及び高さがその厚さに比して大幅に大きくなっている。枠体２１の内側には、網状体２２が設けられている。網状体２２は、枠体２１の上部と下部との間に鉛直に設けられた金属製の縦線材２２ａと、枠体２１の左右両側部間に水平に設けられた金属製の横線材２２ｂとよって格子状に構成されている。したがって、第１セグメント１Ａは、その厚さ方向には透けて見える。網状体２２を構成する各線材２２ａ，２２ｂについては、互いに交差するように斜めに配置してもよい。また、枠体２１の内部全体に網状体２２を設けることなく、一部だけに、例えば、上下方向の下部、中部又は上部にだけ設けてもよい。さらに、本体１全体を平板によって構成してよい。その場合においても、本体１の一部又は全体を透明にしてもよく、全体を不透明にしてもよい。
【００１７】
第２、第３セグメント１Ｂ，１Ｃは、第１セグメント１Ａの本体２と同一構成の本体２を有している。第２、第３セグメント１Ｂ，１Ｃの本体２としては、第１セグメント１Ａの本体２と異なる構成のものを採用してもよい。特に、セグメント１Ａ，１Ｂ，１Ｃの各本体２の幅については、什器Ａの使用形態を考慮して適宜に変更することが望ましい。
【００１８】
第１セグメント１Ａの枠体２１の一側部（図１において右側部）と、これに隣接する第２セグメント１Ｂの枠体２１の一側部（図１において左側部）とは、回動軸線を上下方向に向けたヒンジ３によって水平方向へ回動可能に連結されている。第２セグメント１Ｂの枠体２１の他側部（図１において右側部）と、これに隣接する第３セグメント１Ｃの枠体２１の一側部（図１において左側部）とは、回動軸線を上下方向に向けたヒンジ３によって水平方向へ回動可能に連結されている。
【００１９】
第１セグメント１Ａの枠体２１の下面のうち、第２セグメント１Ｂから離間した端部には、ストッパ機構を内蔵したキャスタ４が設けられている。同様に、第２セグメント１Ｂの枠体２１の下面のうちの両端部、及び、第３セグメント１Ｃの枠体２１の下面のうち、第２セグメント１Ｂから離間した端部には、キャスタ４がそれぞれ設けられている。したがって、什器Ａを容易に移動させることができるとともに、所望の位置に位置固定することができる。
【００２０】
第１セグメント１Ａの枠体２１のうち、第２セグメント１Ｂ側と逆側を向く側面（図１において左側を向く側面）の上部と下部とには、筒体（取付部材；係合部材）５，５がそれぞれ設けられている。筒体５，５は、それぞれの軸線を鉛直方向に向け、しかも互いの軸線を一致させて同軸上に配置されている。
また、第３セグメント１Ｃの枠体２１のうち、第２セグメント１Ｂ側と逆側を向く側面（図１において右側を向く側面）の上部と下部とにも、筒体５，５が設けられている。
【００２１】
上記構成の什器Ａは、図１に示すように、第１、第２及び第３セグメント１Ａ，１Ｂ，１Ｃを左右方向へ一直線上に並べることにより、パーティションや衝立として使用することができる。また、第１、第３セグメント１Ａ，１Ｃを第２セグメント１Ｂに対して適宜に回動させて、平面視「コ」字状にしたり、階段状にしたり、あるいは波状にすることができ、それぞれ商品を陳列するための陳列ボードとして使用することができる。特に、この実施の形態では、網状体２２にフック（図示せず）を引っ掛けることができる。
【００２２】
図３は、この考案の第２実施の形態を示す。この実施の形態の什器Ｂにおいては、第１、第２及び第３セグメント１Ａ，１Ｂ，１Ｃを自立可能にするために、二つの脚部６，６が用いられている。
【００２３】
図４に示すように、脚部６は、上下に起立した略二等辺三角形の金属板の下辺部中央を当該金属板と相似形に切り欠いてなる支板部６ａを有している。支板部６ａの下端部には、水平方向に突出する水平板部６ｂが形成されている。水平板部６ｂの突出方向を向く脚部６の一方の面の上端部には、係止部材６ｃが固定されている。この係止部材６ｃは、断面略「Ｕ」字状をなしており、その長手方向を上下方向に向けた状態で配置されている。しかも、係止部材６ｃは、前後方向（本体２の厚さ方向）における支板部６ａの中央部に配置されている。支板部６ａには、長手方向を上下方向に向けた軸６ｄが固定されている。軸６ｄは、係止部材６ｂの下方に配置されている。軸６ｄの下端部は、支板部６ａから切り欠き部に向かって下方へ突出している。
【００２４】
上記のように構成された二つの脚部６のうちの一方の脚部６は、その係止部材６ｃに第１セグメント１Ａの枠部２１の側部が挿入されるとともに、軸６ｄの下端部が下側の筒体５に挿入されている。同様に、他方の脚部６の係止部材６ｃに第３セグメント１Ｃの枠部２１の側部が挿入されるとともに、軸６ｄの下端部が下側の筒体５に挿入されている。そして、各脚部６の水平板部６ｂが床面に接触させられている。
【００２５】
上記構成の什器Ｂにおいては、キャスタ４が第１、第２、第３セグメント１Ａ，１Ｂ，１Ｃの自重を支える一方、第１、第２、第３セグメント１Ａ，１Ｂ，１Ｃがその厚さ方向に倒れることを脚部６，６が阻止する。したがって、什器Ｂは自立することができる。勿論、什器Ｂは、各セグメント１Ａ，１Ｂ，１Ｃを横一列に並べるのみならず、緩やかな波状に、つまりジグザグに並べてもよい。
【００２６】
図５は、この考案の第３実施の形態を示す。この実施の形態の什器Ｃは、第１、第３セグメント１Ａ，１Ｃの第２セグメント１Ｂ側と逆側の側部どうしが接近離間移動不能に連結されるようになっている。すなわち、第１、第３セグメント１Ａ，１Ｃは、第２セグメント１Ｂに対して回動させられて、第２セグメント１Ｂ側と逆側の側部どうしが互いに突き当てられている。これにより、什器Ｃの第１、第２及び第３セグメント１Ａ，１Ｂ，１Ｃが平面視正三角形状をなしている。
【００２７】
什器Ｃの平面視形状を正三角形状に維持するために、図６に示す連結部材７が用いられている。連結部材７は、例えば金属製の棒材からなるものであり、その両端部が下方を向くように、逆「Ｕ」字状に形成されている。連結部材７の両端部は、第１の筒体５と第２セグメント１Ｃの筒体５とにそれぞれ挿入されている。これにより、什器Ｃの平面視形状が正三角形状に維持されている。したがって、この実施の形態では、第１、第２セグメント１Ａ，１Ｃの筒体５，５及び連結部材７によって係合機構が構成されている。
【００２８】
このように構成された什器Ｃは、セグメント１Ａ，１Ｂ，１Ｃの各外面に商品等をハンガーを介して吊り下げるための陳列ボードとして用いることができる。また、セグメント１Ａ，１Ｂ，１Ｃによって形成される筒を傘立てとして使用することも可能である。
【００２９】
図７及び図８は、この考案の第４実施の形態を示す。この実施の形態の什器Ｄは、商品陳列棚として用いられるものであり、第１、第３セグメント１Ａ，１Ｃが第２セグメント１Ｂに対して９０°回動させられて、互いに対向している。この結果、第１、第２及び第３上記セグメント１Ａ，１Ｂ，１Ｃにより、前面部が開放された平面視略正方形の筒体が構成されている。什器Ｄは、第１、第２及び第３上記セグメント１Ａ，１Ｂ，１Ｃに加えて、フック取り付け用ハンガー８、対をなす棚受け具９，９、及び棚板１０をさらに有している。
【００３０】
ハンガー８は、バー材からなるものであり、その長手方向を左右方向（第１、第３セグメント１Ａ，１Ｃの対向方向）に向けて水平に配置されている。ハンガー８の両端部には、引っ掛け部８ａがそれぞれ設けられている。そして、両端の引っ掛け部８ａ，８ａを第１、第２セグメント１Ａ，１Ｃの網状体２２の横線材２２ｂに引っ掛けることにより、第１、第３セグメント１Ａ，１Ｂの回動が阻止されている。したがって、この実施の形態では、ハンガー８が第１、第３セグメント１Ａ，１Ｃの第２セグメント１Ｂに対する回動を阻止する維持手段として兼用されている。
【００３１】
棚受け具９は、ハンガー８とほぼ同様に構成されており、両端部に形成された引っ掛け部９ａを第１、第２セグメント１Ａ，１Ｃの網状体２２の横線材２２ｂに引っ掛けることにより、第１、第２セグメント１Ａ，１Ｃに水平に支持されるとともに、第１、第３セグメント１Ａ，１Ｂの回動を阻止している。したがって、この実施の形態では、棚受け具９も第１、第３セグメント１Ａ，１Ｃの第２セグメント１Ｂに対する回動を阻止する維持手段として兼用されている。一対の棚受け具９，９は、同一高さに、かつ前後方向（第１、第３セグメント１Ａ，１Ｃの幅方向）に互いに離間して配置されている。一対の棚受け具９，９の上には、棚板１０が載置されている。棚板１０の上には、商品を載置することができる。
【００３２】
なお、什器Ｄは次のようにして組み立てることができる。まず、第１、第２及び第３上記セグメント１Ａ，１Ｂ，１Ｃが平面視略正方形状をなすように、第１、第３セグメント１Ａ，１Ｃを回動させる。次に、ハンガー８及び棚受け具９を所定の高さに引っ掛ける。その後、一対の棚受け具９，９の上に棚板１０を載置する。
【００３３】
上記構成の什器Ｃは、陳列棚として用いることができる。また、ハンガー８、棚受け具９及び棚板１０を取り外すことにより、什器Ａとして用いたることができる。また、ハンガー８、棚受け具９及び棚板１０を取り外す一方、脚部６を用いることによって什器Ｂとして、あるいは連結部材９を用いることによって什器Ｃとして用いることが可能である。
【図面の簡単な説明】
【００３４】
【図１】この考案の第１実施の形態を示す正面図である。
【図２】同実施の形態の側面図であって、図２（Ａ）は第１、第２、第３セグメントを横一列に並べたときの状態を示し、図２（Ｂ）は第１、第２及び第３セグメントを互いに対向させたときの状態を示している。
【図３】この考案の第２実施の形態を示す斜視図である。
【図４】同実施の形態において用いられている脚部を示す図であって、図１（Ａ）はその正面図、図１（Ｂ）はその側面図、図１（Ｃ）はその平面図である。
【図５】この考案の第３実施の形態を示す斜視図である。
【図６】同実施の形態において用いられている係合機構を示す図である。
【図７】この考案の第４実施の形態を示す斜視図である。
【図８】同実施の形態の組み立て手順を示す斜視図である。
【符号の説明】
【００３５】
Ａ  什器
Ｂ  什器
Ｃ  什器
Ｄ  什器
１Ａ  第１セグメント
１Ｂ  第２セグメント
１Ｃ  第３セグメント
５  筒体（取付部材；係合部材）
６  脚部
７  連結部材
２１  枠部
２２  網状体
８  ハンガー（維持手段）
９  棚受け具（維持手段）
１０  棚板
【図１】
0003121180.tif 000003
【図２】
0003121180.tif 000004
【図３】
0003121180.tif 000005
【図４】
0003121180.tif 000006
【図５】
0003121180.tif 000007
【図６】
0003121180.tif 000008
【図７】
0003121180.tif 000009
【図８】
0003121180.tif 000010